(57)【要約】【課題】  太陽高度が低い場合でも室内を快適な光環境に制御することが可能となるブラインド制御方法を提供する。【解決手段】  ブラインド制御方法１は、太陽の位置を取得し、太陽の位置に応じて第１ブラインド角度を算出し、室内の窓面輝度と壁面輝度を取得し、窓面輝度と壁面輝度が予め定めた所望の関係となる適正輝度バランス領域に存在するように第２ブラインド角度を算出し、第１ブラインド角度と第２ブラインド角度のうち、大きい角度にブラインド角度を制御することを特徴とする。【選択図】図２
2020002596.tif 000002
【特許請求の範囲】
【請求項１】
太陽の位置を取得し、
太陽の位置に応じて第１ブラインド角度を算出し、
室内の窓面輝度と壁面輝度を取得し、
前記窓面輝度と前記壁面輝度が予め定めた所望の関係となる適正輝度バランス領域に存在するように第２ブラインド角度を算出し、
前記第１ブラインド角度と前記第２ブラインド角度のうち、大きい角度にブラインド角度を制御する
ことを特徴とするブラインド制御方法。
【請求項２】
前記第１ブラインド角度及び前記第２ブラインド角度は、
以下の式（１）及び（２）を満足する場合に算出する
ことを特徴とする請求項１に記載のブラインド制御方法。
α1 ＜ αs ＜ α2                  （１）
h1 ＜ hs ＜ h2                   （２）
ここで、αsは方位角、（１）は窓面に太陽光が当たる太陽の方位角の範囲を示し、α1は窓面に太陽光が当たる太陽の最小方位角、α2は窓面に太陽光が当たる太陽の最大方位角を示す。hsは太陽高度、h1は地平線又は周囲の構造物から太陽が出てくる角度、h2はスラット３の角度βが０°でも直射日光が侵入しない太陽の角度である。
なお、方位角は、南を０°とし、西側が正、東側が負とする。また、高度は、水平線を０°とし、天頂側が正とする。
【請求項３】
前記式（１）及び（２）を満足しない場合、前記第２ブラインド角度にブラインド角度を制御する
ことを特徴とする請求項２に記載のブラインド制御方法。
【請求項４】
前記第１ブラインド角度は、以下の式（３）及び（４）から算出された採光スラット角度β１及び遮光スラット角度β２のうち、大きい角度とする
ことを特徴とする請求項１乃至３のいずれか１つに記載のブラインド制御方法。
【数７】
2020002596.tif 000009
ここで、Hは最上スラットの天井からの距離、Dはグラデーションブラインドによる導光距離、bは外側スラット間隔、sはスラット幅である。
また、Ｐはプロファイル角度であって、以下の式（５）で表す。
【数８】
2020002596.tif 000010
ここで、hsは太陽高度、αsは太陽方位角、αwは窓面方位角である。
【発明の詳細な説明】
【技術分野】
【０００１】
本発明は、室内を快適な光環境に制御するブラインド制御方法に関するものである。
【背景技術】
【０００２】
従来、室内全体をバランスのとれた適正な光環境に制御する光環境制御システムが開示されている（特許文献１参照）。
【先行技術文献】
【特許文献】
【０００３】
【特許文献１】特開２０１８−３１１３６号公報
【非特許文献】
【０００４】
【非特許文献１】「昼光利用における窓面と壁面の好ましい輝度対比に関する研究  その４  ブラインド利用時における窓面輝度の扱いについて」，加藤未佳，外４名，日本建築学会大会学術講演梗概集，pp.563-564，2014年
【発明の概要】
【発明が解決しようとする課題】
【０００５】
特許文献１に記載された技術は、輝度カメラによって窓周りの輝度分布を計測し、眩しくならないようにブラインドを制御するものである。この方法は、太陽高度が十分高い場合には有効に制御できる。しかしながら、冬季、太陽高度が低くなった際に、直射日光がブラインドの羽根と羽根の間をすり抜けて室内に侵入してしまい、輝度カメラではそのような状況を捉えられない場合がある。
【０００６】
本発明は上記課題を解決し、太陽高度が低い場合でも室内を快適な光環境に制御することが可能となるブラインド制御方法を提供することを目的とする。
【課題を解決するための手段】
【０００７】
本発明にかかるブラインド制御方法は、
太陽の位置を取得し、
太陽の位置に応じて第１ブラインド角度を算出し、
室内の窓面輝度と壁面輝度を取得し、
前記窓面輝度と前記壁面輝度が予め定めた所望の関係となる適正輝度バランス領域に存在するように第２ブラインド角度を算出し、
前記第１ブラインド角度と前記第２ブラインド角度のうち、大きい角度にブラインド角度を制御する
ことを特徴とする。
【０００８】
本発明にかかるブラインド制御方法は、
前記第１ブラインド角度及び前記第２ブラインド角度は、
以下の式（１）及び（２）を満足する場合に算出する
ことを特徴とする。
α1 ＜ αs ＜ α2                  （１）
h1 ＜ hs ＜ h2                   （２）
ここで、αsは太陽の方位角、（１）は窓面に太陽光が当たる太陽の方位角の範囲を示し、α1は窓面に太陽光が当たる太陽の最小方位角、α2は窓面に太陽光が当たる太陽の最大方位角を示す。また、hsは太陽高度、h1は地平線又は周囲の構造物から太陽が出てくる高度、h2はスラット３の角度βが０°でも直射日光が侵入しない太陽の高度である。
なお、方位角は、南を０°とし、西側が正、東側が負とする。また、高度は、水平線を０°とし、天頂側が正とする。
【０００９】
本発明にかかるブラインド制御方法は、
前記式（１）及び（２）を満足しない場合、前記第２ブラインド角度にブラインド角度を制御する
ことを特徴とする。
【００１０】
本発明にかかるブラインド制御方法は、
前記第１ブラインド角度は、以下の式（３）及び（４）から算出された採光スラット角度β１及び遮光スラット角度β２のうち、大きい角度とする
ことを特徴とする。
【数１】
2020002596.tif 000003
ここで、Hは最上スラットの天井からの距離、Dはグラデーションブラインドによる導光距離、bは外側スラット間隔、sはスラット幅である。
また、Ｐはプロファイル角度であって、以下の式（５）で表す。
【数２】
2020002596.tif 000004
ここで、hsは太陽高度、αsは太陽方位角、αwは窓面方位角である。
【発明の効果】
【００１１】
本発明にかかる一実施形態のブラインド制御方法によれば、太陽高度が低い場合でも室内を快適な光環境に制御することが可能となる。
【図面の簡単な説明】
【００１２】
【図１】本実施形態のブラインド制御システムを示す。
【図２】本実施形態のブラインド制御のフローチャートを示す。
【図３】本実施形態のブラインド制御で用いられる太陽位置によるブラインド制御のフローチャートを示す。
【図４】本実施形態のブラインド制御システムの輝度センサの映像を示す。
【図５】ブラインド角度と光の透過率の関係の一例を示す。
【図６】本実施形態のブラインドの特性式のグラフを示す。
【図７】本実施形態のブラインド制御で用いられる適正輝度バランスを示す。
【図８】本実施形態のブラインド制御で用いられる適正輝度バランス領域を示す。
【図９】本実施形態のブラインド制御で用いられる窓面輝度によるブラインド制御のフローチャートを示す。
【発明を実施するための形態】
【００１３】
以下、図面を参照して本発明にかかるブラインド制御システムの一実施形態を説明する。
【００１４】
図１は、本実施形態のブラインド制御システム１を示す。
【００１５】
本実施形態のブラインド制御システム１では、変更部としてのブラインド２は、窓面５１の内側に隣接して、天井面５２から床面５３に向かって吊り下げられている。
【００１６】
ブラインド２は、同じく変更部を構成する複数のスラット３を有する。複数のスラット３は、それぞれ角度が変更可能に形成されている。本実施形態では、ブラインド２の角度、すなわち、スラット３の角度を変更することで、窓面の輝度を調整する。
【００１７】
本実施形態では、ブラインド角度という場合、最上位置のスラット３の角度βとするが、全てのスラット３の平均角度をブラインド角度としてもよい。また、本実施形態のブラインド制御システム１は、室内に取り付けるブラインド２に適用しているが、外付けブラインド又は２枚のガラスの間に設置するダブルスキン内ブラインドにも適用可能である。
【００１８】
図２は、本実施形態のブラインド制御のフローチャートを示す。
【００１９】
本実施形態のブラインド制御システム１は、太陽位置によるブラインド制御と窓面輝度によるブラインド制御によりブラインド角度を算出し、ブラインドの角度を決定する。どちらの制御を実行するかは、太陽の位置によって決定する。ここでは、全体のブラインド制御を説明し、その後、太陽位置によるブラインド制御と窓面輝度によるブラインド制御をそれぞれ説明する。
【００２０】
本実施形態のブラインド制御システム１は、ステップ１で、太陽位置によるブラインド制御と窓面輝度によるブラインド制御によってブラインド角度をそれぞれ算出する（ＳＴ１）。太陽位置によるブラインド制御によってブラインド角度を算出する方法及び窓面輝度によるブラインド制御によってブラインド角度を算出する方法は、後述する。
【００２１】
続いて、ステップ２で、以下の式（１）及び（２）を満足するか否かを判定する（ＳＴ２）。なお、方位角は、南を０°とし、西側が正、東側が負とする。また、高度は、水平線を０°とし、天頂側が正とする。
α1 ＜ αs ＜ α2                  （１）
h1 ＜ hs ＜ h2                   （２）
ここで、αsは方位角、（１）は窓面に太陽光が当たる太陽の方位角の範囲を示し、α1は窓面に太陽光が当たる太陽の最小方位角、α2は窓面に太陽光が当たる太陽の最大方位角を示す。また、hsは太陽高度、h1は地平線又は周囲の構造物から太陽が出てくる高度、h2はスラット３の角度βが０°でも直射日光が侵入しない太陽の高度である。
【００２２】
本実施形態では、以下の式（１’）及び（２’）のように設定した。
２７０° ＜αs ＜ ３６０°                  （１’）
０° ＜ hs ＜   ３０°                  （２’）
なお、本実施形態で想定している建物は東側にあるため、αsは（１’）の設定となっている。
【００２３】
次に、ステップ３で、太陽位置によるブラインド制御によって算出したブラインド角度が窓面輝度によるブラインド制御によって算出したブラインド角度よりも大きいか否かを判定する（ＳＴ３）。ステップ３において太陽位置によるブラインド制御によって算出したブラインド角度が窓面輝度によるブラインド制御によって算出したブラインド角度よりも大きい場合、ステップ４で、太陽位置によるブラインド制御によって算出したブラインド角度にブラインドを制御し（ＳＴ４）、終了する。
【００２４】
ステップ１において式（１）及び（２）を満足しない場合、及び、ステップ３において太陽位置によるブラインド制御によって算出したブラインド角度が窓面輝度によるブラインド制御によって算出したブラインド角度よりも小さい場合、ステップ５で、窓面輝度によるブラインド制御によって算出したブラインド角度にブラインドを制御し（ＳＴ５）、終了する。
【００２５】
次に、太陽位置によるブラインド制御によるブラインド角度の算出について説明する。
【００２６】
図３は、本実施形態のブラインド制御で用いられる太陽位置によるブラインド制御のフローチャートを示す。
【００２７】
本実施形態の太陽位置によるブラインド制御は、ステップ１１で、方位αs及び高度hsで規定する太陽位置を取得する（ＳＴ１１）。なお、方位角は、南を０°とし、西側が正、東側が負とする。また、高度は、水平線を０°とし、天頂側が正とする。
【００２８】
次にステップ１２で、以下の式（３）及び（４）から採光スラット角度β１及び遮光スラット角度β２を算出する（ＳＴ１２）。
【数３】
2020002596.tif 000005
ここで、Hは最上スラットの天井からの距離、Dはグラデーションブラインドによる導光距離、bは外側スラット間隔、sはスラット幅である。
【００２９】
また、Ｐはプロファイル角度であって、以下の式（５）で表す。
【数４】
2020002596.tif 000006
ここで、hsは太陽高度、αsは太陽方位角、αwは窓面方位角である。
【００３０】
次に、ステップ１３で、採光スラット角度β１が遮光スラット角度β２より大きいか否かを判定する（ＳＴ１３）。
【００３１】
ステップ１３で、採光スラット角度β１が遮光スラット角度β２より大きい場合、ステップ１４で、第１ブラインド角度を採光スラット角度β１に設定する（ＳＴ１４）。
【００３２】
ステップ１３で、採光スラット角度β１が遮光スラット角度β２より小さい場合、ステップ１５で、第１ブラインド角度を遮光スラット角度β２に設定する（ＳＴ１５）。
【００３３】
このように求められた採光スラット角度β１又は遮光スラット角度β２は、図２に示したフローチャートにおける太陽位置によるブラインド制御でのブラインド角度として用いられる。
【００３４】
次に、窓面輝度によるブラインド制御によるスラット角度の算出について説明する。
【００３５】
図４は、本実施形態のブラインド制御システム１の輝度センサ１２の映像を示す。
【００３６】
輝度センサ１２は、図１に示すように、窓面５１及び窓面５１の周囲の壁面５４が測定範囲となるように設定される。本実施形態の輝度センサ１２は、輝度カメラであって、室内の輝度、特に窓面５１及び窓面５１の周囲の壁面５４の輝度を測定する。
【００３７】
図１に示した制御部３０は、ブラインド２の角度を制御する装置である。なお、本実施形態のブラインド制御装置３０は、一般のブラインド２に適用することが可能である。
【００３８】
本実施形態の制御部３０は、直射日光検知部１１から取得した窓面への直射日光の状態と、輝度センサ１２から取得した窓面輝度平均値及び壁面輝度平均値と、を用いて、ブラインド２の角度を制御する。
【００３９】
図１に示した記憶部４０は、窓面輝度平均値と壁面輝度平均値が予め定めた所望の関係となる後述する適正輝度バランス領域を記憶する。
【００４０】
ここで、窓面輝度とブラインド角度の関係について説明する。
【００４１】
図５は、ブラインド角度と光の透過率の関係の一例を示す。
【００４２】
図１に示したブラインド制御システム１は、ブラインド２の角度を制御することで光の透過率を変化させることができる。したがって、ブラインド２の角度を制御することで室内の明るさを制御することが可能となる。
【００４３】
現在の窓面輝度平均値をＬ１、目標とする窓面輝度平均値をＬ２とする。ブラインド角度αと光の透過率Ｔの関係は、Ｔ＝f (α)であって、その逆関数は、α＝g (T)である。現在の光の透過率Ｔ１は、現在のブラインド角度α１及びブラインド角度αと光の透過率Ｔの関係式Ｔ＝f (α)から算出される。目標とする窓面輝度Ｌ２とするための光の透過率Ｔ２は、現在の光の透過率Ｔ１に対して、Ｌ２／Ｌ１を掛けることにより求められる。そして、求められたＴ２をブラインド角度αと光の透過率Ｔの逆関数α＝g (T)に代入すると、目標とするブラインド角度α２が求められる。
【００４４】
ブラインド角度αと光の透過率Ｔの関係式Ｔ＝f (α)は、ブラインド２のスラット３の幅及び反射率等によって変化するブラインド特性式から求められる。すなわち、ブラインド特性式は、ブラインド２毎に異なるものであって、１つ１つのスラット３の寸法又は材料等から求められる。
【００４５】
図６は、本実施形態のブラインド２の特性式のグラフを示す。
【００４６】
ブラインド特性式は、図６に示した太陽のプロファイル角度毎のブラインド角度αと光の透過率Ｔの関係を求めたものである。
【００４７】
例えば、本実施形態のブラインド２では、図６に示すように、直射日光が無い場合、菱形を近似した実線の関係から特性式を求める。また、太陽のプロファイル角度が３０°の場合、正方形を近似した破線の関係から特性式を求める。さらに、太陽のプロファイル角度が４０°の場合、三角形を近似した一点鎖線の関係から特性式を求め、太陽のプロファイル角度が５０°の場合、×印を近似した二点鎖線の関係から特性式を求める。
【００４８】
本実施形態のブラインド制御システムは、ブラインド２を制御し、窓面輝度平均値を変化させることで、窓面輝度平均値と壁面輝度平均値のバランスを変化させる。窓面輝度平均値と壁面輝度平均値のバランスは、予め設定した適正輝度バランスに近づくように制御する。
【００４９】
ここで、適正輝度バランスについて説明する。
【００５０】
図７は、本実施形態のブラインド制御で用いられる適正輝度バランスを示す。
【００５１】
適正輝度バランスは、窓面輝度平均値と壁面輝度平均値のバランスを考慮して設定した式であって、室内に在室する人が快適に感じるバランスであることが好ましい。適正輝度バランスＣ１は、例えば、非特許文献１に記載された以下の式（６）のような７５％許容壁面輝度等の指標を用いればよい。
log10(Lwall) ＝ 0.77log10(Lwindow)＋1.05log10ρ＋0.09            （６）
ただし、
Lwall：７５％許容壁面輝度、
Lwindow：窓面輝度平均値、
ρ：ブラインドの反射率、
である。
【００５２】
例えば、窓面輝度平均値と壁面輝度平均値のバランスが、所定の壁面輝度平均値に対して窓面輝度平均値が７５％許容壁面輝度よりも低い領域Ｂにある場合、図７に示す矢印ＢＣ１のように窓面輝度平均値を上げて、７５％許容壁面輝度となるようにブラインド２を開ける。また、窓面輝度平均値と壁面輝度平均値のバランスが、所定の壁面輝度平均値に対して窓面輝度平均値が７５％許容壁面輝度よりも高い領域Ａにある場合、図７に示す矢印ＡＣ１のように窓面輝度平均値を下げて、７５％許容壁面輝度となるようにブラインド２を閉める。
【００５３】
このように、窓面輝度平均値と壁面輝度平均値が適正輝度バランスに近づくようにブラインド２を制御するので、室内全体をバランスのとれた適正な光環境に制御することが可能となる。したがって、室内に在室する人は、室内の光環境を快適に感じることができる。
【００５４】
図８は、本実施形態のブラインド制御で用いられる適正輝度バランス領域を示す。
【００５５】
例えば、図８に示すように、７５％許容壁面輝度に対して、所定の許容範囲を設け、適正輝度バランス領域Ｃを設定してもよい。この場合、窓面輝度平均値と壁面輝度平均値のバランスが、所定の壁面輝度平均値に対して窓面輝度平均値が適正輝度バランス領域Ｃよりも低い領域Ｂにある場合、図８に示す矢印ＢＣのように窓面輝度平均値を上げて、予め定めた適正輝度バランス領域Ｃ内となるようにブラインド２を開ける。また、窓面輝度平均値と壁面輝度平均値のバランスが、所定の壁面輝度平均値に対して窓面輝度平均値が適正輝度バランス領域Ｃよりも低い領域Ｂにある場合、図８に示す矢印ＡＣのように窓面輝度平均値を下げて、予め定めた適正輝度バランス領域内となるようにブラインド２を閉める。
【００５６】
このように、窓面輝度平均値と壁面輝度平均値が適正輝度バランス領域に存在するようにブラインド２を制御するので、室内全体をバランスのとれた適正な光環境に制御することが可能となる。したがって、室内に在室する人は、室内の光環境を快適に感じることができる。
【００５７】
なお、本実施形態のブラインド制御では、７５％許容壁面輝度Ｃ１を指標として用いたが、これに限らず、他の指標を用いても良い。
【００５８】
図９は、本実施形態のブラインド制御で用いられる窓面輝度によるブラインド制御のフローチャートを示す。
【００５９】
本実施形態のブラインド制御は、ブラインド２の角度を制御する。まず、ステップ２１で、窓面に直射日光が入射しているか否かを判定する（ＳＴ２１）。
【００６０】
ステップ２１において、窓面に直射日光が入射している場合、ステップ２２で、予め記憶している太陽のプロファイル角に対応したブラインド特性式を選択する（ＳＴ２２）。その後、ステップ２４へ進む。
【００６１】
ステップ２１において、窓面に直射日光が入射していない場合、ステップ２３で、予め記憶している直射日光が入射していない場合のブラインド特性式を選択する（ＳＴ２３）。その後、ステップ２４へ進む。
【００６２】
続いて、ステップ２４で、輝度ファイルを読み込む（ＳＴ２４）。輝度ファイルの読み込みは、図４に示した輝度センサ１２の映像から、窓面輝度及び壁面輝度の分布を一時的に記憶することである。
【００６３】
次に、ステップ２５で、窓面輝度及び壁面輝度の平均値、並びに、窓面輝度の最大値を算出する（ＳＴ２５）。窓面輝度及び壁面輝度の平均値は、ステップ２４において読み込んだ窓面輝度及び壁面輝度を、窓面及び壁面のそれぞれの画素数で割ることによって算出する。
【００６４】
続いて、ステップ２６で、窓面輝度の最大値が予め定めた第１の値よりも高いか否かを判定する（ＳＴ２６）。ここでは、窓面が眩しすぎるか否かを判定する。第１の値は、例えば５０００カンデラ程度に設定すればよい。
【００６５】
ステップ２６において、窓面輝度の最大値が予め定めた第１の値よりも高い場合、ステップ２７で、ブラインド特性式を用いて、窓面輝度が予め定めた第１の値となる角度を窓面輝度によるブラインド制御でのブラインド角度とする（ＳＴ２７）。
【００６６】
ステップ２６において、窓面輝度の最大値が予め定めた第１の値よりも低い場合、ステップ２８で、窓面輝度平均値に対する壁面輝度平均値が予め定めた適正輝度バランスよりも低いか否かを判定する（ＳＴ２８）。
【００６７】
ステップ２８において、窓面輝度平均値に対する壁面輝度平均値が予め定めた適正輝度バランスよりも低い場合、ステップ２９で、ブラインド特性式を用いて、窓面輝度平均値を上げて、予め定めた適正輝度バランスに近づける角度を窓面輝度によるブラインド制御でのブラインド角度とする（ＳＴ２９）。
【００６８】
ステップ２８において、窓面輝度平均値に対する壁面輝度平均値が予め定めた適正輝度バランスよりも低くない場合、ステップ３０で、窓面輝度平均値に対する壁面輝度平均値が予め定めた適正輝度バランスよりも高いか否かを判定する（ＳＴ３０）。
【００６９】
ステップ３０において、窓面輝度平均値に対する壁面輝度平均値が予め定めた適正輝度バランスよりも高い場合、ステップ３１で、ブラインド特性式を用いて、窓面輝度平均値を下げて、予め定めた適正輝度バランスに近づける角度を窓面輝度によるブラインド制御でのブラインド角度とする（ＳＴ３１）。
【００７０】
ステップ３０において、窓面輝度平均値に対する壁面輝度平均値が予め定めた適正輝度バランスよりも高くない場合、ブラインド２を開閉せず、そのままの角度を窓面輝度によるブラインド制御でのブラインド角度とする。
【００７１】
このように、窓面輝度によるブラインド制御によれば、窓面輝度平均値と壁面輝度平均値が適正輝度バランス領域に存在するようにブラインド２を制御するので、室内全体をバランスのとれた適正な光環境に制御することが可能となる。したがって、室内に在室する人は、室内の光環境を快適に感じることができる。
【００７２】
以上、本実施形態のブラインド制御方法は、太陽の位置を取得し、太陽の位置に応じて第１ブラインド角度を算出し、室内の窓面輝度と壁面輝度を取得し、窓面輝度と壁面輝度が予め定めた所望の関係となる適正輝度バランス領域に存在するように第２ブラインド角度を算出し、第１ブラインド角度と第２ブラインド角度のうち、大きい角度にブラインド角度を制御する。したがって、本実施形態のブラインド制御方法によれば、太陽高度が低い場合でも室内を快適な光環境に制御することが可能となる。
【００７３】
また、本実施形態のブラインド制御方法は、第１ブラインド角度及び第２ブラインド角度は、以下の式（１）及び（２）を満足する場合に算出する。
α1 ＜ αs ＜ α2                  （１）
h1 ＜ hs ＜ h2                   （２）
ここで、αsは方位角、（１）は窓面に太陽光が当たる太陽の方位角の範囲を示し、α1は窓面に太陽光が当たる太陽の最小方位角、α2は窓面に太陽光が当たる太陽の最大方位角を示す。hsは太陽高度、h1は地平線又は周囲の構造物から太陽が出てくる高度、h2はスラット３の角度βが０°でも直射日光が侵入しない太陽の高度である。
なお、方位角は、南を０°とし、西側が正、東側が負とする。また、高度は、水平線を０°とし、天頂側が正とする。
したがって、本実施形態のブラインド制御方法によれば、太陽高度が低い際に室内を快適な光環境に制御することが可能となる。
【００７４】
また、本実施形態のブラインド制御方法は、式（１）及び（２）を満足しない場合、第２ブラインド角度にブラインド角度を制御する。したがって、太陽高度が低い際に的確に室内を快適な光環境に制御することが可能となる。
【００７５】
また、本実施形態のブラインド制御方法は、第１ブラインド角度は、以下の式（３）及び（４）から算出された採光スラット角度β１及び遮光スラット角度β２のうち、大きい角度とする。
【数５】
2020002596.tif 000007
ここで、Hは最上スラットの天井からの距離、Dはグラデーションブラインドによる導光距離、bは外側スラット間隔、sはスラット幅である。
【００７６】
また、Ｐはプロファイル角度であって、以下の式（５）で表す。
【数６】
2020002596.tif 000008
ここで、hsは太陽高度、αsは太陽方位角、αwは窓面方位角である。
したがって、太陽高度が低い際により的確に室内を快適な光環境に制御することが可能となる。
【００７７】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００７８】
１…ブラインド制御システム、２…ブラインド、３…スラット、１１…直射日光検知部、１２…輝度センサ、３０…制御部、４０…記憶部、５１…窓面、５２…天井面、５３…床面、５４…壁面
【図１】
2020002596.tif 000011
【図２】
2020002596.tif 000012
【図３】
2020002596.tif 000013
【図４】
2020002596.tif 000014
【図５】
2020002596.tif 000015
【図６】
2020002596.tif 000016
【図７】
2020002596.tif 000017
【図８】
2020002596.tif 000018
【図９】
2020002596.tif 000019